(57)【要約】【課題】  電動送風機の駆動の際に隔壁の環状リブの上部とシール部材との間に隙間が生じてしまうことのない電気掃除機を提供する。【解決手段】  塵埃を集塵するための集塵室３１と、電動送風機３２を設けた電動機室３３と、集塵室３１と電動機室３３とを区画し且つ吸込穴を有するとともに電動機室３３の底部から立設された隔壁６０とを備え、隔壁６０の電動機室３３側の側面３０Ａに吸込穴６１の周囲を囲む環状リブ６２を形成し、電動送風機３２の吸込開口３２ａの周囲を囲むとともにその電動送風機３２のファンケース３２Ｆと環状リブ６２との間にシール部材６５を介在させることにより電動送風機３２によって集塵室３１に負圧を作用させる電気掃除機であって、環状リブ６２の突出量Ｈを上部にいくにしたがって大きくした。【選択図】  図５
2005334158.tif 000002
【特許請求の範囲】
【請求項１】
塵埃を集塵するための集塵部と、電動送風機を設けた電動機室と、前記集塵部と前記電動機室とを区画し且つ吸込穴を有するとともに前記電動機室の底部から立設された隔壁とを備え、前記隔壁の電動機室側の側面に前記吸込穴の周囲を囲む環状リブを形成し、前記電動送風機の吸込開口の周囲を囲むとともにその電動送風機のファンケースと前記環状リブとの間に環状シール部材を介在させることにより前記電動送風機によって前記集塵部に負圧を作用させる電気掃除機であって、
前記環状リブの突出量を上にいくにしたがって電動送風機側へ大きくしたことを特徴とする電気掃除機。
【請求項２】
塵埃を集塵するための集塵部と、電動送風機を設けた電動機室と、前記集塵部と前記電動機室とを区画し且つ吸込穴を有するとともに前記電動機室の底部から立設された隔壁とを備え、前記隔壁の電動機室側の側面に前記吸込穴の周囲を囲む環状リブを形成し、前記電動送風機の吸込開口の周囲を囲むとともにその電動送風機のファンケースと前記環状リブとの間に環状シール部材を介在させることにより前記電動送風機によって前記集塵部に負圧を作用させる電気掃除機であって、
前記環状シール部材の肉厚を上にいくにしたがって厚くしたことを特徴とする電気掃除機。
【発明の詳細な説明】
【技術分野】
【０００１】
この発明は、集塵部と、この集塵部に負圧を作用させる電動送風機とを備えている電気掃除機に関する。
【背景技術】
【０００２】
従来から、図１０に示す掃除機本体１を備えた電気掃除機が知られている（例えば特許文献１参照）。
【０００３】
図１０において、２は集塵ホースを接続する接続口、３はサイクロン旋回室、４は接続口２とサイクロン旋回室３とを連通する風路、５は電動送風機、６はサイクロン旋回室３と電動送風機５の吸込開口５Ａとを連通する風路、７は塵埃を集塵する集塵ケースである。そして、サイクロン旋回室３と風路６と集塵ケース７等とで塵埃を集塵する集塵部が構成される。
【０００４】
電動送風機５は、図１１に示すように吸込開口５Ａを形成したファンケース８を有し、このファンケース８には吸込開口５Ａを囲むように環状のシール部材９が装着されている。
【０００５】
一方、電動送風機５を設けた電動機室１０と風路６とを区画する隔壁１１が電動機室１０の底部１０Ａから立設され、この隔壁１１には吸込穴１２が形成されている。隔壁１１の側面１１Ａには吸込穴１２を囲む２重の環状リブ１３が形成され、環状リブ１３がシール部材９に当接しており、隔壁１１と電動送風機５のファンケース８との間に形成される空間Ｓが電動機室１０に対してシールされている。
【特許文献１】特開２００３−３２５４０７号公報
【発明の開示】
【発明が解決しようとする課題】
【０００６】
ところで、このような電気掃除機にあっては、電動送風機５が駆動されると、空間Ｓや風路６が負圧となることにより電動送風機５は左方向（図１１において）へ押される力が働き、また隔壁１１が図１１の矢印Ｐで示す方向へ傾くことになる。
【０００７】
これが何度か繰り返されると、隔壁１１は熱によって変形し、隔壁１１の環状リブ１３の上部とシール部材９との間に隙間が生じてしまう虞れがあった。
【０００８】
この発明の目的は、電動送風機の駆動の際に隔壁の環状リブの上部とシール部材との間に隙間が生じてしまうことのない電気掃除機を提供することにある。
【課題を解決するための手段】
【０００９】
請求項１の発明は、塵埃を集塵するための集塵部と、電動送風機を設けた電動機室と、前記集塵部と前記電動機室とを区画し且つ吸込穴を有するとともに前記電動機室の底部から立設された隔壁とを備え、前記隔壁の電動機室側の側面に前記吸込穴の周囲を囲む環状リブを形成し、前記電動送風機の吸込開口の周囲を囲むとともにその電動送風機のファンケースと前記環状リブとの間に環状シール部材を介在させることにより前記電動送風機によって前記集塵部に負圧を作用させる電気掃除機であって、
前記環状リブの突出量を上にいくにしたがって電動送風機側へ大きくしたことを特徴とする。
【００１０】
請求項２の発明は、塵埃を集塵するための集塵部と、電動送風機を設けた電動機室と、前記集塵部と前記電動機室とを区画し且つ吸込穴を有するとともに前記電動機室の底部から立設された隔壁とを備え、前記隔壁の電動機室側の側面に前記吸込穴の周囲を囲む環状リブを形成し、前記電動送風機の吸込開口の周囲を囲むとともにその電動送風機のファンケースと前記環状リブとの間に環状シール部材を介在させることにより前記電動送風機によって前記集塵部に負圧を作用させる電気掃除機であって、
前記環状シール部材の肉厚を上にいくにしたがって厚くしたことを特徴とする。
【発明の効果】
【００１１】
この発明によれば、電動送風機の駆動の際に隔壁の変形があっても、隔壁の環状リブの上部とシール部材との間に隙間が生じてしまうことが防止される。
【発明を実施するための最良の形態】
【００１２】
以下、この発明に係る電気掃除機の一実施例を図面に基づいて説明する。
【実施例】
【００１３】
図１に示す電気掃除機２０は、掃除機本体２１と、この掃除機本体２１の前部のホース接続口２１ａ（図２参照）に一端が着脱可能に接続された集塵ホース２２等とを備え、この集塵ホース２２の他端の手元操作管２３には延長管２４が着脱自在に接続され、この延長管２４の先端には吸込口体２５が着脱自在に接続されている。手元操作管２３の操作部２３Ａには操作スイッチ２３ａが設けられている。
【００１４】
掃除機本体２１は、図２ないし図４に示すように、本体ケース３０と、この本体ケース３０の上部に上下方向に開閉自在にヒンジ結合された蓋体４０とを有している。
【００１５】
本体ケース３０の前部には、図４に示すように上方が開口すると共に、接続口２１ａを有した内部空間である集塵室（集塵部）３１が形成されている。また、本体ケース３０の後部には、集塵室３１に連通すると共に、この集塵室３１に吸込負圧を作用させる電動送風機３２が内蔵された内部空間である電動機室３３が形成されている。
【００１６】
本体ケース３０の側面には一対の車輪３４が設けられ、底面には旋回輪ＳＲ（図３参照）が設けられている。なお、集塵室３１内には集塵フィルタ３５（図１参照）が着脱自在に装着されている。
【００１７】
蓋体４０は、集塵室３１の開口を覆うように設けられている。また、この蓋体４０には、前方に突出する取っ手４０ａが設けられている。
【００１８】
また、蓋体４０には、掃除機本体２１の集塵室３１に臨む部分に窓４１（図１に表示）と、この窓４１を覆う透明な窓カバー４３とが設けられている（図３参照）。窓カバー４３は、例えば希土類元素などからなる蓄光材から構成されている。
【００１９】
窓４１の下側には光触媒体５０が設けられており、この光触媒体５０は、図２（ａ）に示すように、光触媒フィルタ５１と、この光触媒フィルタ５１を保持するフレーム体５２を備えている。
【００２０】
光触媒フィルタ５１は、光触媒物質を含む光触媒シート（光触媒部材）５１ａと、竹炭物質を含む竹炭シート５１ｂとが、ほぼ交互に重ねられて形成されている。ここで、光触媒シート５１ａが波形状に屈曲されており、この光触媒フィルタ５１はハニカム構造となっている（図２（ｂ）参照）。
【００２１】
また、掃除機本体２１には、図４および図５に示すように、集塵室３１と電動機室３３とを区画する隔壁６０が形成されており、この隔壁６０は電動機室３３の底部３３Ａに立設されている。また、隔壁６０の前には集塵フィルタ３５を押さえるための格子壁７０が設けられている。
【００２２】
隔壁６０には、図５に示すように吸込穴６１が形成され、この吸込穴６１には図６に示すように格子６１Ａが設けられている。また、隔壁６０の電動室側の側面６０Ａには吸込穴６１を囲んだ２重の環状リブ６２が形成されている。
【００２３】
環状リブ６２の突出量（突出高さ）Ｈは、本体ケース３０の底部から上にいくにしたがって大きくなっている。
【００２４】
一方、電動送風機３２は、吸込開口３２ａを形成したファンケース３２Ｆを有しており、ファンケース３２Ｆの外周囲には環状のシール部材６５が装着されている。シール部材６５は、ファンケース３２Ｆと隔壁６０の環状リブ６２との間をシールするシール部６５Ａと、ファンケース３２Ｆの外周面を覆う円筒部６５Ｂとを有している。そして、シール部６５Ａが電動送風機３２の吸込開口３２ａの周囲を囲んでいる。
【００２５】
また、シール部材６５は、例えばゴム製からなり、シール機能の他に防振の機能を有している。
【００２６】
そして、環状リブ６２は、突出量Ｈが上部にいくにしたがって大きくなっていることにより、上部の環状リブ６２Ａは図５に示すようにシール部材６５に食い込んでいる。
【００２７】
［動  作］
次に、上記のように構成される電気掃除機の動作について説明する。
【００２８】
手元操作管２３の操作部２３Ａの操作スイッチ２３ａの操作により電動送風機３２が駆動されると、集塵室３１に負圧が発生し、集塵ホース２２、手元操作管２３、延長管２４を介して吸込口体２５の吸込室（図示せず）に負圧が作用する。この負圧によって吸込口体２５の底面に設けた吸込室の吸込開口から被清掃面上の塵埃及び空気が吸い込まれ、延長管２４、手元操作管２３、集塵ホース２２を介して掃除機本体２１の集塵室３１へ吸い込まれていく。
【００２９】
集塵室３１へ吸い込まれた塵埃は集塵室３１内に装着された集塵フィルタ３５に捕集され、空気は電動機室内の電動送風機３２に吸い込まれた後に掃除機本体２１の図示しない排気孔から排気されていく。
【００３０】
ところで、電動送風機３２の駆動により集塵室３１が負圧になると、図７に示すように、隔壁６０は電動機室３３の底部３３Ａに立設されていることによりその下部を支点にして左側へ傾いたり変形したりすることになる。この隔壁６０の傾きや変形により、隔壁６０とシール部材６５のシール部６５Ａとの間の間隔が上にいくにしたがって大きくなる。しかし、隔壁６０の環状リブ６２の突出量Ｈが上にいくにしたがって大きくなっていることにより、環状リブ６２とシール部材６５との間、すなわち上部の環状リブ６２Ａとシール部材６５との間に隙間が生じることなくそのシール性を確保することができる。
【００３１】
このため、集塵室３１の負圧が低下してしまうことが防止され、吸込口体２５の塵埃の吸込力が低下してしまうことが未然に防止される。
【００３２】
また、集塵室３１には塵埃や空気と共に細菌等が流れ込み、集塵パック等からアンモニア、アセトアルデヒド等の臭気成分を発散する。この臭気成分は、集塵室３１の上側に位置する蓋体４０に設けられた光触媒体５０によって分解され、脱臭される。また、細菌自体も光触媒体５０によって殺菌、分解される。
【００３３】
一方、蓋体４０の窓カバー４３に当たる光によって窓カバー４３は蓄光していく。そして、掃除の終了後に掃除機本体２１を収納した場合や夜間に、窓カバー４３から蓄光した光が発光され、この光が蓋体４０の窓４１を介して光触媒体５０に当たるので、光触媒体５０を２４時間機能させることができ、このため光触媒体５０による脱臭,浄化,防汚効果を十分に発揮させることができる。
【００３４】
上記実施例では、隔壁６０の環状リブ６２の突出量Ｈを上部にいくにしたがって大きくしているが、図８に示すように、シール部材６５のシール部６５Ａの肉厚を上部にいくにしたがって厚くしてもよい。この場合、図９に示すように隔壁６０が左側へ傾いたり変形したりしても上記と同様な効果を得ることができる。
【図面の簡単な説明】
【００３５】
【図１】この発明に係る電気掃除機の外観を示した斜視図である。
【図２】（ａ）この発明に係る電気掃除機の掃除機本体の一部を破断した斜視図であり、（ｂ）光触媒フィルタの一部を拡大した斜視図である。
【図３】図１に示す掃除機本体を示した側面図である。
【図４】掃除機本体の一部を削除した斜視図である。
【図５】掃除機本体の隔壁と電動送風機との位置関係を示した説明図である。
【図６】図４に示す掃除機本体の電動送風機を外したものを示した斜視図である。
【図７】隔壁が傾いた状態を示した説明図である。
【図８】他の例を示した説明図である。
【図９】他の例の隔壁が変形した状態を示した説明図である。
【図１０】従来の電気掃除機本体を示した説明図である。
【図１１】従来の隔壁と電動送風機との関係を示した説明図である。
【符号の説明】
【００３６】
３１      集塵室（集塵部）
３２      電動送風機
３２Ａ    吸込開口
３２Ｆ    ファンケース
３３      電動機室
６０      隔壁
６２      環状リブ
６５      シール部材
【図１】
2005334158.tif 000003
【図２】
2005334158.tif 000004
【図３】
2005334158.tif 000005
【図４】
2005334158.tif 000006
【図５】
2005334158.tif 000007
【図６】
2005334158.tif 000008
【図７】
2005334158.tif 000009
【図８】
2005334158.tif 000010
【図９】
2005334158.tif 000011
【図１０】
2005334158.tif 000012
【図１１】
2005334158.tif 000013